(57)【要約】  本発明は、建物及び建物内の部屋のための被覆材料に関する。装飾タイルは：表側保護透明プレート；側部保護層；透明フィルム；裏側保護層；立体画像；及び立体画像の上に配設されたレンズアレイ、を備える。表側保護透明プレートは、その内側が透明フィルムに、かつその縁部が側部保護層に接続される。側部保護層は裏側保護層に接続され、裏側保護層はその内側で立体画像に接続され、その上にレンズアレイが配設される。空隙が、一方ではレンズアレイと透明フィルムとの間に、他方では立体画像とレンズアレイとの間に設けられる。この空隙は、立体画像の立体的かつ動的な表示を可能にする。透明フィルムは、保護透明プレートにさらなる強度を提供し、かつ立体画像の紫外線保護を提供する。表側保護透明プレート、側部保護層、及び裏側保護層は、単一の封止保護ケーシングを形成する。【選択図】図１
2021515859.tif 000002
【特許請求の範囲】
【請求項１】
立体的かつ動的な表示を伴う装飾タイルであって、
外側及び内側を伴う表側保護透明プレートと、
端部保護層と、
透明フィルムと、
外側及び内側を有する裏側保護層と、
立体画像と、
前記立体画像の上に位置された、レンズ状シートと
を備え、
前記表側保護透明プレートの内側は、前記透明フィルムに接続され、前記表側保護透明プレートの端部は、前記裏側保護層に接続される前記端部保護層と接続され、
前記裏側保護層の前記内側は、前記立体画像と接続され、その上には前記レンズ状シートが位置され、前記レンズ状シートと前記透明フィルムとの間には空隙が存在し、それが、前記立体画像の立体的かつ動的な表示を提供し、
前記透明フィルムは、前記保護透明プレートにさらなる強度を、かつ前記立体画像のＵＶ保護を提供し、前記表側保護透明プレートと、前記端部保護層と、前記裏側保護層とは、単一の封止保護ハウジングを形成し、その中に、前記立体画像と、前記透明フィルムと、前記レンズ状シートとが位置される、装飾タイル。
【発明の詳細な説明】
【技術分野】
【０００１】
本発明は、建物及び家屋の表面仕上げのための材料に関する。より詳細には、本発明は、立体的な表示を伴う装飾タイルに関する。
【背景技術】
【０００２】
現在、家屋及び建物の表面被覆のために意図された、自然材料及び人口材料が存在する。このような材料の例として、２００９年６月２０日に公開されたロシア国特許第２３５８８８４号明細書の２０頁のＣＬ．Ｂ４４Ｆ  １／０６に記載されている、画像表示デバイスが挙げられる。この表示デバイスは、基板が露出され、その上に、浅浮彫りの形態の表示された画像を形成する、形状付けられた反射面と、形状付けられた反射面の頂部を覆う光沢面と、が存在する。しかし、このデバイスは三次元（立体的な）画像の表示を提供しない。さらに、言及した光沢層は、言及した基板に対して最小限のレベルの保護を有するのみである。
【先行技術文献】
【特許文献】
【０００３】
【特許文献１】ロシア国特許第２３５８８８４号明細書
【発明の概要】
【発明が解決しようとする課題】
【０００４】
主張する発明によって解決される課題は、建物及び家屋両方の表面仕上げを意図した耐久性のある製品を作り出し、三次元かつ動的な表示画像をこの製品上に提供することである。 
【課題を解決するための手段】
【０００５】
提案する発明の技術的成果は、立体的かつ動的な表示を伴う画像を適用可能にする、技術ツールの蓄積を広げる。
【０００６】
特定の技術的成果は、立体的かつ動的な表示を伴う装飾タイルによって実現される。装飾タイルは：外側及び内側を有する表側保護透明プレート；端部保護層；透明フィルム；外側及び内側を有する裏側保護層；立体画像；立体画像の上に位置されるレンズ状シート；を含む。表側保護透明プレートの内側は透明フィルムに接続され、その端部は端部保護層に接続され、端部保護層は裏側保護層に接続される。その裏側保護層の内側は立体画像に接続され、その上にはレンズ状シートが位置される。言及したレンズ状シートと透明フィルムとの間には空隙があり、それが立体画像の動的な表示をもたらす。言及した透明フィルムは、言及した表側保護透明プレートの追加の強度、及び立体画像にＵＶ保護を提供する可能性を伴って作られる。表側保護透明プレート、端部保護層、及び裏側保護層は、単一の密封した保護ハウジングを形成する。これは、言及した立体画像、透明フィルム、及びレンズ状シートを包含する。
【０００７】
立体的かつ動的な表示を伴う装飾タイルは、外部の影響に対して抵抗性がある。当然ながら、上記の一般的説明及び後続の詳細な説明の両方は、例示及び説明のためだけに与えられ、本発明を限定するものではない。
【図面の簡単な説明】
【０００８】
【図１】主張する解決策による、装飾タイルの一般図である。
【図２】第２のバージョンの装飾タイルの一般図である。
【図３】第３のバージョンの装飾タイルの一般図である。
【図４】第４のバージョンの装飾タイルの一般図である。
【発明を実施するための形態】
【０００９】
図１を参照すると、立体的かつ動的な表示を伴う装飾タイルが、示された決定に従って表わされる。立体的かつ動的な表示を伴う装飾タイルは、表側保護透明プレート１０１、透明フィルム１０２、端部保護層１０３、裏側保護層１０４、レンズ状シート１０５、及び立体画像１０６から構成される。
【００１０】
表側保護透明プレート１０１は、外側及び内側の、２つの側を有する。外側は、装飾タイルの外面である。言及したプレートの内側は、透明フィルム１０２と接続される。言及したプレートの縁部は、端部保護層１０３に接続される。表側保護透明プレートは、様々な材料（例えばガラス、プラスチックなど）で作ることができ、端部保護層及び裏側保護層と組み合わせて、レンズ状シートの保護を提供し、立体画像は、外部の影響から離れてそれらの下に位置される。表側保護透明プレート１０１は、光学的に透明な薄層の保護合成物で覆うことができ、及び／または追加で処理（例えばガラス硬化）される。実施中、言及したプレートの外側は、三次元かつ動的効果の知覚及び製品の外観を損なうことなく、研磨及び他のタイプの復元作業を受けてもよい。
【００１１】
端部保護層１０３は、金属、プラスチック、フィルム、グリッド、セラミック、紙、木材、樹脂、塗料コート、及び／または同様の材料から作ることができる。
【００１２】
裏側保護透明プレート１０４も、外側及び内側の、２つの側を有する。外側は、装飾タイルの外面であり、装飾タイルを異なる表側に固定させる。表側保護透明プレート１０１、端部保護層１０３、及び裏側保護層１０４は、合わせて単一の封止した保護ハウジングを形成する。その中には、上述の立体画像１０６、透明フィルム１０２、及びレンズ状シート１０５が位置される。
【００１３】
裏側保護層１０４は、金属、プラスチック、フィルム、グリッド、セラミック、紙、木材、樹脂、塗料コート、及び／または同様の材料から作ることができる。
【００１４】
言及した透明フィルム１０２は、表側保護透明プレート１０１の内側に装着され、言及したプレート１０１にさらなる強度を、かつ立体画像１０６のＵＶ保護を提供する。
【００１５】
レンズ状シート１０５は、立体画像１０６の上に位置される。同時に、レンズ状シートは、一方ではレンズ状シートと透明フィルム１０２との間、他方ではレンズ状シートと立体画像１０６との間に、空隙があるよう位置付けられ、それらが、立体画像１０６の立体的かつ動的な表示を提供する。レンズ状シート１０５は、０．０５ｍｍ以上の厚さの、鏡面光沢プラスチック、ケイ酸塩ガラス、及び他の材料から製造することができるレンズ要素から構成される。
【００１６】
言及した立体画像１０６は、裏側保護層１０４の内側に装着される。立体画像は、視野角度に依拠したレンズ状シート１０５の影響下で、別個で表示される２枚以上の全体画像の部分を含む図であるか、または三次元画像の部分を含む図である。その異なる視覚面も、視野角度に依拠したレンズ状シート１０５の影響下で、別個に表示される。
【００１７】
図２を参照すると、立体的かつ動的な表示を伴う装飾タイルの、別の実装例が示される。立体的かつ動的な表示を伴う装飾タイルは、表側保護透明プレート２０１、透明フィルム２０２、端部保護層２０３、レンズ状シート２０５、及び立体画像２０６から構成される。
【００１８】
表側保護透明プレート２０１は、外側及び内側の、２つの側を有する。外側は、装飾タイルの外面である。言及したプレートの内側は、透明フィルム２０２と接続される。言及したプレートの縁部は、端部保護層２０３に接続される。表側保護透明プレートは、様々な材料（例えばガラス、プラスチックなど）で作ることができ、端部保護層及び裏側保護層と組み合わせて、レンズ状シートの保護を提供し、立体画像は、外部の影響から離れてそれらの下に位置される。表側保護透明プレート２０１は、光学的に透明な薄層の保護合成物で覆うことができ、及び／または追加で処理（例えばガラス硬化）される。実施中、言及したプレートの外側は、三次元かつ動的効果の知覚及び製品の外観を損なうことなく、研磨及び他のタイプの復元作業を受けてもよい。
【００１９】
端部保護層２０３は、金属、プラスチック、フィルム、グリッド、セラミック、紙、木材、樹脂、塗料コート、及び／または同様の材料から作ることができる。同時に、端部保護層は、その下部に突起状端部を包含し、そこに立体画像２０６が装着される。このバージョンの装飾タイルは、半透明構造のために設計され、端部保護層のみを伴うキャリア面に装着される。
【００２０】
言及した透明フィルム２０２は、表側保護透明プレート２０１の内側に装着され、言及したプレート２０１にさらなる強度を、かつ立体画像２０６のＵＶ保護を提供する。
【００２１】
レンズ状シート２０５は、立体画像２０６の上に位置される。同時に、レンズ状シートは、一方ではレンズ状シートと透明フィルム２０２との間、他方ではレンズ状シートと立体画像２０６との間に、空隙があるよう位置付けられ、それらが、立体画像２０６の立体的かつ動的な表示を提供する。レンズ状シート２０５は、０．０５ｍｍ以上の厚さの、鏡面光沢プラスチック、ケイ酸塩ガラス、及び他の材料から製造することができるレンズ要素で構成される。
【００２２】
言及した立体画像２０６は、端部保護層２０３の下部における、突出した端部に装着される。立体画像は、視野角度に依拠したレンズ状シート２０５の影響下で、別個で表示される２枚以上の全体画像の部分を含む図であるか、または三次元画像の部分を含む図である。その異なる視覚面も、視野角度に依拠したレンズ状シート２０５の影響下で、別個に表示される。
【００２３】
図３を参照すると、立体的かつ動的な表示を伴う装飾タイルの、別の実装例が示される。立体的かつ動的な表示を伴う装飾タイルは、表側保護透明プレート３０１、透明フィルム３０２、端部保護層３０３、レンズ状シート３０５、立体画像３０６、及び裏側保護層３０４から構成される。
【００２４】
表側保護透明プレート２０１は、外側及び内側の、２つの側を有する。外側は、装飾タイルの外面である。言及したプレートの内側は、透明フィルム２０２と接続される。表側保護透明プレートは、様々な材料（例えばガラス、プラスチックなど）で作ることができ、端部保護層及び裏側保護層と組み合わせて、レンズ状シートの保護を提供し、立体画像は、外部の影響から離れてそれらの下に位置される。表側保護透明プレート２０１は、光学的に透明な薄層の保護合成物で覆うことができ、及び／または追加で処理（例えばガラス硬化）される。実施中、言及したプレートの外側は、三次元かつ動的効果の知覚及び製品の外観を損なうことなく、研磨及び他のタイプの復元作業を受けてもよい。
【００２５】
裏側保護透明プレート３０４も、外側及び内側の、２つの側を有する。外側は、装飾タイルの外面であり、装飾タイルを異なる表面に固定させる。裏側保護層１０４は、金属、プラスチック、フィルム、グリッド、セラミック、紙、木材、樹脂、塗料コート、及び／または同様の材料から作ることができる。
【００２６】
透明フィルム３０２は、表側保護透明プレート３０１の内側に装着され、言及したプレート３０１にさらなる強度を、かつ立体画像３０６のＵＶ保護を提供する。透明フィルム３０２は、様々なプラスチック及び他の透明材料で作ることができる。この場合、言及した保護フィルム３０２は、装飾タイルの端部保護要素であり、表側保護透明プレート３０１及び裏側保護層３０４を組み合わせて、単一の封止した保護ハウジングを形成する。これは、言及した立体画像３０６及びレンズ状シート３０５を包含する。透明フィルムは、一方の側において、その端部を立体画像３０６に、他方の側において、裏側保護層３０４に接続し、それによって装飾タイルの端部の保護を提供する。言及した透明フィルムとレンズ状シート３０５との間で、レンズシート３０５の上に位置された空隙が形成され、立体的かつ動的な表示の立体画像３０６を提供する。
【００２７】
レンズ状シート３０５は、立体画像３０６の上に位置され、０．０５ｍｍ以上の厚さの、鏡面光沢プラスチック、ケイ酸塩ガラス、及び他の材料から製造することができるレンズ要素で構成される。
【００２８】
言及した立体画像３０６は、裏側保護層３０４の内側及び透明フィルム３０２の縁部に装着される。立体画像は、視野角度に依拠したレンズ状シート３０５の影響下で、別個で表示される２枚以上の全体画像の部分を含む図であるか、または三次元画像の部分を含む図である。その異なる視覚面も、視野角度に依拠したレンズ状シート３０５の影響下で、別個に表示される。
【００２９】
図４を参照すると、立体的かつ動的な表示を伴う装飾タイルの、別の実装例が示される。立体的かつ動的な表示を伴う装飾タイルは、表側保護透明プレート４０１、透明フィルム４０２、端部保護層４０３、裏側保護層４０４、レンズ状シート４０５、及び立体画像４０６から構成される。
【００３０】
表側保護透明プレート４０１は、外側及び内側の、２つの側を有する。外側は、装飾タイルの外面である。言及したプレートの内側は、透明フィルム４０２と接続される。言及したプレートの縁部は、端部保護層４０３に接続される。表側保護透明プレートは、様々な材料（例えばガラス、プラスチックなど）で作ることができ、端部保護層及び裏側保護層と組み合わせて、レンズ状シートの保護を提供し、立体画像は、外部の影響から離れてそれらの下に位置される。表側保護透明プレート４０１は、光学的に透明な薄層の保護合成物で覆うことができ、及び／または追加で処理（例えばガラス硬化）される。実施中、言及したプレートの外側は、三次元かつ動的効果の知覚及び製品の外観を損なうことなく、研磨及び他のタイプの復元作業を受けてもよい。
【００３１】
端部保護層４０３は、金属、プラスチック、フィルム、グリッド、セラミック、紙、木材、樹脂、塗料コート、及び／または同様の材料から作ることができる。言及した端部保護層は、外側及び内側の２つの側を有する。外側は、内側に対して垂直に位置し、かつ装飾タイルの端部に位置し、それによって装飾タイルの端部の保護を提供する。内側は、裏側保護層４０４に堅固に接続され、それによって構造全体の強度を提供する。
【００３２】
裏側保護透明プレート４０４も、外側及び内側の、２つの側を有する。外側は、装飾タイルの外面であり、装飾タイルを異なる表面に固定させる。表側保護透明プレート４０１、端部保護層４０３、及び裏側保護層４０４は、合わせて単一の封止した保護ハウジングを形成する。その中には、上述の立体画像４０６、透明フィルム４０２、及びレンズ状シート４０５が位置される。
【００３３】
裏側保護層４０４は、金属、プラスチック、フィルム、グリッド、セラミック、紙、木材、樹脂、塗料コート、及び／または同様の材料から作ることができる。
【００３４】
言及した透明フィルム１０２は、表側保護透明プレート１０１の内側に装着され、言及したプレート１０１にさらなる強度を、かつ立体画像１０６のＵＶ保護を提供する。
【００３５】
レンズ状シート４０５は、立体画像４０６の上に位置される。同時に、レンズ状シートは、レンズ状シートと透明フィルム４０２との間の１つの側に空隙があるよう位置付けられ、それが、立体画像４０６の立体的かつ動的な表示を提供する。レンズ状シート４０５は、０．０５ｍｍ以上の厚さの、鏡面光沢プラスチック、ケイ酸塩ガラス、及び他の材料から製造することができるレンズ要素で構成される。
【００３６】
言及した立体画像４０６は、裏側保護層４０４の内側に装着される。立体画像は、視野角度に依拠したレンズ状シート４０５の影響下で、別個で表示される２枚以上の全体画像の部分を含む図であるか、または三次元画像の部分を含む図である。その異なる視覚面も、視野角度に依拠したレンズ状シート４０５の影響下で、別個に表示される。
【００３７】
本発明は、その実装の特定の変形を参照して示し、説明したが、当業者には、様々な変化及び変更が、本発明の実際の範囲から離れることなく成され得ることが明白となろう。
【図１】
2021515859.tif 000003
【図２】
2021515859.tif 000004
【図３】
2021515859.tif 000005
【図４】
2021515859.tif 000006
【国際調査報告】
2021515859.tif 000007
2021515859.tif 000008